(57)【要約】【課題】優れた泡立ち性と泡の持続性を兼ね備えた液体洗浄剤組成物を提供することを目的とする。【解決手段】ポリオキシアルキレンアルキルエーテル硫酸塩（Ａ）１０〜３０質量％と、アミンオキシド型界面活性剤（Ｂ）２〜１０質量％と、第２級アルカンスルホン酸および／またはその塩（Ｃ）１〜１０質量％と、ポリオキシアルキレン脂肪酸モノエタノールアミド（Ｄ）３〜１０質量％と、ポリオキシエチレンアルキルエーテル（Ｅ）とを含有し、（Ａ）／（Ｂ）で表される質量比が３〜５、（Ｄ）／（Ｅ）で表される質量比が１０〜２０、［（Ｄ）＋（Ｅ）］／［（Ａ）＋（Ｂ）＋（Ｃ）］で表される質量比が０．１５以上、０．４５未満であることを特徴とする液体洗浄剤組成物。【選択図】なし【特許請求の範囲】
【請求項１】
ポリオキシアルキレンアルキルエーテル硫酸塩（Ａ）１０〜３０質量％と、アミンオキシド型界面活性剤（Ｂ）２〜１０質量％と、第２級アルカンスルホン酸および／またはその塩（Ｃ）１〜１０質量％と、ポリオキシアルキレン脂肪酸モノエタノールアミド（Ｄ）３〜１０質量％と、ポリオキシエチレンアルキルエーテル（Ｅ）とを含有し、
（Ａ）／（Ｂ）で表される質量比が３〜５、（Ｄ）／（Ｅ）で表される質量比が１０〜２０、［（Ｄ）＋（Ｅ）］／［（Ａ）＋（Ｂ）＋（Ｃ）］で表される質量比が０．１５以上、０．４５未満であることを特徴とする液体洗浄剤組成物。
【発明の詳細な説明】
【技術分野】
【０００１】
本発明は、液体洗浄剤組成物に関する。
【背景技術】
【０００２】
台所等の食器類、調理器具、シンク周りなどを洗浄するために使用される液体洗浄剤組成物には、高い洗浄力が求められる。
洗浄力は洗浄時の泡の有無により実感しやすく、泡立ちに優れる液体洗浄剤は洗浄力を実感しやすい。また、泡量が持続すれば、洗浄力の持続性も実感できる。
【０００３】
洗浄力と泡立ち性に優れた液体洗浄剤組成物として、例えば特許文献１には、ポリオキシエチレンアルキルまたはアルケニルエーテル硫酸エステル塩と、アミンオキシド型界面活性剤と、アルカンスルホン酸および／またはその塩とを含有する液体洗浄剤組成物が開示されている。
また、特許文献２には、ポリオキシエチレンアルキルエーテル硫酸塩と、アルキルアミンオキシドと、特定のポリオキシアルキレンアルキルエーテル型ノニオン界面活性剤と、ポリオキシエチレン脂肪酸アルカノールアミドとを含有する濃縮液体洗浄剤組成物が開示されている。
【先行技術文献】
【特許文献】
【０００４】
【特許文献１】特開２００８−１５６５８９号公報
【特許文献２】特開２００８−２４８５４号公報
【発明の概要】
【発明が解決しようとする課題】
【０００５】
しかしながら、特許文献１、２に記載のような泡立ち性に優れる液体洗浄剤組成物は、洗浄過程において泡量が減少する、いわゆる「泡のヘタリ」を感じやすかった。泡量の減少は、泡立て時に洗剤濃度の高い泡が大量に立ち過ぎることで、洗い始めにスポンジから多くの洗剤が流出し、スポンジ中の洗剤濃度が薄まることが原因であり、泡立ち性に優れ洗浄力の強い液体洗浄剤において特に顕著に起こる傾向にある。
【０００６】
一方、泡量が減少しにくく、泡のヘタリを感じにくい液体洗浄剤は、スポンジ中の洗剤の拡散性を抑えることで泡の持続性を高めることができるが、例えば特許文献１、２に記載のような泡立ち性に優れる液体洗浄剤に比べて泡立ちが悪く、洗浄力の実感が得られにくかった。
このように、台所用の液体洗浄剤において、泡立ち性と泡の持続性を両立することは困難であった。
【０００７】
本発明は上記事情を鑑みてなされたものであり、優れた泡立ち性と泡の持続性を兼ね備えた液体洗浄剤組成物を提供することを目的とする。
【課題を解決するための手段】
【０００８】
本発明の液体洗浄剤組成物は、ポリオキシアルキレンアルキルエーテル硫酸塩（Ａ）１０〜３０質量％と、アミンオキシド型界面活性剤（Ｂ）２〜１０質量％と、第２級アルカンスルホン酸および／またはその塩（Ｃ）１〜１０質量％と、ポリオキシアルキレン脂肪酸モノエタノールアミド（Ｄ）３〜１０質量％と、ポリオキシエチレンアルキルエーテル（Ｅ）とを含有し、（Ａ）／（Ｂ）で表される質量比が３〜５、（Ｄ）／（Ｅ）で表される質量比が１０〜２０、［（Ｄ）＋（Ｅ）］／［（Ａ）＋（Ｂ）＋（Ｃ）］で表される質量比が０．１５以上、０．４５未満であることを特徴とする。
【発明の効果】
【０００９】
本発明の液体洗浄剤組成物は、優れた泡立ち性と泡の持続性を兼ね備える。
【発明を実施するための形態】
【００１０】
以下、本発明を詳細に説明する。
本発明の液体洗浄剤組成物は、ポリオキシアルキレンアルキルエーテル硫酸塩（Ａ）（以下、「（Ａ）成分」という。）と、アミンオキシド型界面活性剤（Ｂ）（以下、「（Ｂ）成分」という。）と、第２級アルカンスルホン酸および／またはその塩（Ｃ）（以下、「（Ｃ）成分」という。）と、ポリオキシアルキレン脂肪酸モノエタノールアミド（Ｄ）（以下、「（Ｄ）成分」という。）と、ポリオキシエチレンアルキルエーテル（Ｅ）（以下、「（Ｅ）成分」という。）とを含有する。
【００１１】
［（Ａ）成分］
（Ａ）成分は、ポリオキシアルキレンアルキルエーテル硫酸塩であり、下記一般式（１）で表される。
【００１２】
【化１】
2010248336.tif 000002
【００１３】
式（１）中、Ｒ１はアルキル基またはアルケニル基である。これらアルキル基およびアルケニル基は、直鎖状であっても分岐鎖状であってもよい。
Ｒ１としては、炭素数８〜１８のアルキル基またはアルケニル基が好ましい。
洗浄力が向上する観点から、Ｒ１としては炭素数１０〜１６のアルキル基またはアルケニル基が特に好ましい。
これらのアルキル基およびアルケニル基は単独で混合されていてもよく、天然アルコール由来でもよく、合成アルコール由来でもよい。例えば市販されているドバノール、サフォール、ネオドール、ダイアドールなどの合成アルコールや、ヤシ油高級アルコール、ＣＯ１２７０Ａなどの天然アルコールが好適である。
【００１４】
Ｒ２はエチレン基またはプロピレン基である。プロピレン基は、直鎖状であっても分岐鎖状であってもよいが、低温安定性改善効果に優れる点で分岐鎖状が好ましい。
ｍはアルキレンオキシドの平均付加モル数を示し、Ｒ２がエチレン基の場合は１〜１０、Ｒ２がプロピレン基の場合は１〜５である。
洗浄力および低温安定性が向上する観点から、ｍは、Ｒ２がエチレン基の場合は１〜５、Ｒ２がプロピレン基の場合は１〜２が好ましい。
【００１５】
Ｍ１は水素原子、アルカリ金属、アルカリ土類金属、アンモニウム、アルカノールアミンである。
アルカリ金属としては、ナトリウム、カリウム等が挙げられる。
アルカリ土類金属としては、カルシウム、マグネシウム等が挙げられる。
アルカノールアミンとしては、モノエタノールアミン、ジエタノールアミン、トリエタノールアミン等が挙げられる。
洗浄力が向上する観点から、Ｍ１としてはナトリウム、カリウム、マグネシウム、アンモニウムが好ましい。
【００１６】
（Ａ）成分としては、例えば炭素数８〜１８のポリオキシエチレンアルキルエーテル硫酸ナトリウム（エチレンオキシドの平均付加モル数：２）、炭素数８〜１８のポリオキシプロピレンアルキルエーテル硫酸ナトリウム（プロピレンオキシドの平均付加モル数：１）等が挙げられる。また、市販品としてライオン株式会社製の「サンノールＮＬ−１４３０」、テイカ株式会社製の「テイカポールＮＥ１２３０」などを用いてもよい。
【００１７】
（Ａ）成分は、１種単独で用いてもよく、２種以上を混合して用いてもよい。
（Ａ）成分の含有量は、液体洗浄剤組成物１００質量％中、１０〜３０質量％であり、１５〜３０質量％が好ましい。（Ａ）成分の含有量が１０質量％未満の場合、泡量および泡の持続性が低下する。（Ａ）成分の含有量が３０質量％より多い場合、得られる液体洗浄剤組成物の粘度が上昇し、ゲル化する場合がある。
【００１８】
［（Ｂ）成分］
（Ｂ）成分は、アミンオキシド型界面活性剤である。アミンオキシド型界面活性剤は、洗浄力および泡性能ブースター（促進剤）として、またマイルド性および保存安定性の向上を目的として配合される。
（Ｂ）成分としては、アルキルジメチルアミンオキシド、アルキルジエチルアミンオキシド、アルカノイルアミドアルキルジメチルアミンオキシド等の半極性界面活性剤が挙げられる。中でも下記一般式（２）で表される化合物が好適なものとして挙げられる。
【００１９】
【化２】
2010248336.tif 000003
【００２０】
式（２）中、Ｒ３は炭素数８〜１８のアルキル基、または炭素数８〜１８のアルケニル基である。これらアルキル基およびアルケニル基は、直鎖状であっても分岐鎖状であってもよい。
洗浄力が向上する観点から、Ｒ３としては炭素数１０〜１４のアルキル基が好ましい。
【００２１】
Ｒ４、Ｒ５はそれぞれ独立して炭素数１〜３のアルキル基、または炭素数１〜３のヒドロキシアルキル基である。
Ｒ４、Ｒ５としては、炭素数１〜３のアルキル基が好ましく、いずれもメチル基が特に好ましい。
【００２２】
Ｒ６は炭素数１〜４のアルキル基である。
Ｑは−ＣＯＮＨ−、−ＮＨＣＯ−、−ＣＯＯ−、−ＯＣＯ−または−Ｏ−である。Ｑは−ＣＯＮＨ−が好ましい。
ｎは０または１である。ｎは０が好ましい。
なお、式（３）中、「Ｎ→Ｏ」は、アミンオキシドの半極性結合を示す。
【００２３】
（Ｂ）成分としては、具体的にラウリルジメチルアミンオキシド、ヤシアルキルジメチルアミンオキシド、ラウリルジエチルアミンオキシドなどのアルキルジメチルアミンオキシド；ラウリン酸アミドプロピルアミンオキシドなどのアルカノイルアミドアルキルジメチルアミンオキシド等が好適なものとして挙げられる。中でも洗浄力に優れる観点から、アルキルジメチルアミンオキシドが好ましい。
また、（Ｂ）成分としては、市販品を用いることができ、例えば、ライオン・アクゾ株式会社製の「アロモックスＤＭ１０Ｄ−Ｗ」、「アロモックスＤＭＣ−Ｗ」、「アロモックスＤＭ１２Ｄ−Ｗ（Ｃ）」、「アロモックスＤＭ１４Ｄ−Ｗ」；川研ファインケミカル株式会社製の「ソフタゾリンＬＡＯ」等が挙げられる。
【００２４】
（Ｂ）成分は、１種単独で用いてもよく、２種以上を混合して用いてもよい。
（Ｂ）成分の含有量は、液体洗浄剤組成物１００質量％中、２〜１０質量％であり３〜８質量％が好ましい。（Ｂ）成分の含有量が２質量％未満の場合、洗浄力が低下し、かつ泡のブースター効果が弱まり、泡量および泡の持続性が低下する。（Ｂ）成分の含有量が１０質量％より多い場合、得られる液体洗浄剤組成物の粘度が上昇し、ゲル化する場合がある。また、低温安定性の悪化が顕著になる。
【００２５】
［（Ｃ）成分］
（Ｃ）成分は、第２級アルカンスルホン酸および／またはその塩である。第２級アルカンスルホン酸および／またはその塩は、パラフィンスルホン酸塩とも呼ばれ、アニオン界面活性剤に属するが、他のスルホン酸系アニオン界面活性剤に比べて洗浄力、泡立ち性、手肌マイルド性、耐硬水性の点で優れる。液体洗浄剤組成物が（Ｃ）成分を含有することにより、特に洗浄力に優れるようになる。
【００２６】
（Ｃ）成分としては、例えば、一分子当り１０〜２１個の炭素原子、好ましくは少なくとも８０質量％、より好ましくは少なくとも９０質量％が一分子当り１３〜１８個の炭素原子をもつ２級アルキルスルホン酸塩と、少量の１級アルキルスルホン酸塩、ジスルホン酸塩、またはポリスルホン酸塩との混合物が挙げられる。
また、（Ｃ）成分としては、下記一般式（３）で表される化合物が特に好ましい。
【００２７】
【化３】
2010248336.tif 000004
【００２８】
式（３）中、Ｍ２は水素原子、アルカリ金属、アルカリ土類金属、アンモニウム、アルカノールアミンである。
アルカリ金属、アルカリ土類金属、アルカノールアミンとしては、Ｍ１の説明において先に例示したアルカリ金属、アルカリ土類金属、アルカノールアミンが挙げられる。ナトリウム、カリウム等が挙げられる。
洗浄力が向上する観点から、Ｍ２としてはナトリウム、カリウム、マグネシウム、アンモニウムが好ましい。
ｐおよびｑはメチレン基の数を示し、ｐ＋ｑ＝１０〜１４である。
【００２９】
（Ｃ）成分としては、市販品を用いることができ、例えば、クラリアントジャパン株式会社製の「「ＨＯＳＴＡＰＵＲ  ＳＡＳ  ６０」、ＨＯＳＴＡＰＵＲ  ＳＡＳ  ３０Ａ」等が挙げられる。
【００３０】
（Ｃ）成分は、１種単独で用いてもよく、２種以上を混合して用いてもよい。
（Ｃ）成分の含有量は、液体洗浄剤組成物１００質量％中、１〜１０質量％であり、３〜８質量％が好ましい。（Ｃ）成分の含有量が１質量％未満の場合、洗浄力が低下する。（Ｃ）成分の含有量が１０質量％より多い場合、低温安定性が悪化する。
【００３１】
［（Ｄ）成分］
（Ｄ）成分は、ポリオキシアルキレン脂肪酸モノエタノールアミドである。
（Ｄ）成分としては、下記一般式（４）で表される化合物が好ましい。
【００３２】
【化４】
2010248336.tif 000005
【００３３】
式（４）中、Ｒ７は炭素数５〜１９のアルキル基、または炭素数５〜１９のアルケニル基である。これらアルキル基およびアルケニル基は、直鎖状であっても分岐鎖状であってもよい。
洗浄力が向上する観点から、Ｒ７としては炭素数９〜１３のアルキル基、または炭素数９〜１３のアルケニル基が好ましい。
【００３４】
Ｒ８は炭素数２〜４のアルキレン基である。アルキレン基は、直鎖状であっても分岐鎖状であってもよい。また、アルキレン基は、１種単独で混合されていてもよく、２種以上混合されていてもよい。
溶解性が向上する観点から、Ｒ８としてはエチレン基および／またはイソプロピレン基が好ましく、特に好ましくはエチレン基である。
ｒはアルキレンオキシドの平均付加モル数を示し、１〜５である。
洗浄力および溶解性が向上する観点から、ｒは１〜３が好ましい。
【００３５】
（Ｄ）成分としては、例えばポリオキシエチレンラウリン酸モノエタノールアミド（エチレンオキシドの平均付加モル数：２）、ポリオキシエチレンヤシ油脂肪酸モノエタノールアミド（エチレンオキシドの平均付加モル数：１）、ポリオキシプロピレンラウリン酸モノエタノールアミド（プロピレンオキシドの平均付加モル数：１）等が挙げられる。また、市販品として川研ファインケミカル株式会社製の「アミゼット２Ｌ−Ｙ」、「アミゼット５Ｃ」、「アミゼット１ＰＬ」などを用いてもよい。
【００３６】
（Ｄ）成分は、１種単独で用いてもよく、２種以上を混合して用いてもよい。
（Ｄ）成分の含有量は、液体洗浄剤組成物１００質量％中、３〜１０質量％であり、４〜８質量％が好ましい。（Ｄ）成分の含有量が上記範囲内であれば、泡立ち性と泡の持続性を両立できる。（Ｄ）成分の含有量が３質量％未満の場合、泡立ち性は良好になるものの、泡の持続性が低下する。（Ｄ）成分の含有量が１０質量％より多い場合、泡の持続性は良好になるものの、泡立ち性が低下する。
【００３７】
［（Ｅ）成分］
（Ｅ）成分は、ポリオキシエチレンアルキルエーテルである。ポリオキシエチレンアルキルエーテルは、泡立ち性の向上と泡質の改善を目的として配合される。
（Ｅ）成分としては、下記一般式（５）で表される化合物が好ましい。
【００３８】
【化５】
2010248336.tif 000006
【００３９】
式（５）中、Ｒ９は炭素数８〜１８のアルキル基またはアルケニル基である。これらアルキル基およびアルケニル基は、直鎖状であっても分岐鎖状であってもよい。
泡立ち性が向上する観点から、Ｒ９としては炭素数１０〜１６のアルキル基またはアルケニル基が好ましい。
【００４０】
ｓはエチレンオキシドの平均付加モル数を示し、４〜２０である。
泡立ち性が向上する観点から、ｓは８〜１６が好ましい。
【００４１】
（Ｅ）成分としては、例えばポリオキシエチレンラウリルエーテル（エチレンオキシドの平均付加モル数：１５）等が挙げられる。また、市販品としてライオン株式会社製の「ＬＡＯ−９０Ｎ」、シェルケミカルズジャパン株式会社製の「ＬＡＯ−９０Ｎ」などを用いてもよい。
【００４２】
（Ｅ）成分は、１種単独で用いてもよく、２種以上を混合して用いてもよい。
（Ｅ）成分の含有量は、液体洗浄剤組成物１００質量％中、０．１〜５．０質量％が好ましく、０．２〜３．０質量％がより好ましい。（Ｅ）成分の含有量が０．１質量％以上であれば、優れた泡立ち性が得られると共に、泡質が硬くなりすぎるのを抑制できる。（Ｅ）成分の含有量が５．０質量％以下であれば、泡質が水っぽく（柔らかく）なりすぎるのを抑制できる。
【００４３】
［各成分の質量比］
上述した（Ｃ）成分は、洗浄力等に優れるので、液体洗浄剤組成物に配合することで洗浄力を実感しやすくなる。さらに、（Ａ）成分と併用することで泡立ち性が得られやすくなり、洗浄力をより実感できる。
また、（Ａ）成分と（Ｂ）成分は、静電的相互作用により、両者の間で錯体を形成しやすい。錯体が形成されると、液体洗浄剤組成物の洗浄力が向上する傾向にある。
【００４４】
本発明者らは鋭意検討した結果、（Ａ）成分と（Ｂ）成分の錯体が形成される中、（Ｄ）成分を共存させることで、液体洗浄剤組成物が水で希釈されたときの粘度（希釈粘度）が上昇することを見出した。液体洗浄剤組成物は洗浄中に水で希釈されるが、その際に希釈粘度が上昇することで、液体洗浄剤組成物がスポンジ内に留まりやすくなり、スポンジから過度に流出するのを抑制でき、泡の持続性が向上する。
しかしながら、液体洗浄剤組成物の希釈粘度が必要以上に上昇するとスポンジ内で拡散しにくくなり、泡立ちが悪くなる傾向にある。また、（Ａ）成分と（Ｂ）成分と（Ｄ）成分を併用すると、泡質が硬くなる傾向にある。
【００４５】
本発明者らはさらに検討した結果、（Ｅ）成分をさらに配合することで、液体洗浄剤組成物の希釈粘度が必要以上に上昇するのを抑制して良好な泡立ち性を維持すると共に、泡質を改善できることを見出した。そして、液体洗浄剤組成物中の各成分の含有量および質量比を規定することで、泡立ち性と泡の持続性を両立し、泡質をも良好な状態に維持できることを見出し、本発明を完成するに至った。
【００４６】
すなわち、（Ａ）／（Ｂ）で表される質量比が３〜５であり、３．５〜４．５であることが好ましい。（Ａ）／（Ｂ）で表される質量比が３未満の場合、（Ａ）成分と（Ｂ）成分の錯体と、（Ｄ）成分との疎水性相互作用が大きくなりすぎ、洗浄剤組成物を希釈したときの粘度が過度に上昇し、泡立ち性が低下する。（Ａ）／（Ｂ）で表される質量比が５を上回る場合、洗浄剤組成物を希釈したときの粘度上昇が得られず、泡の持続性が低下する。
【００４７】
また、（Ｄ）／（Ｅ）で表される質量比が１０〜２０であり、１２〜１８であることが好ましい。（Ｄ）／（Ｅ）で表される質量比が１０以上であれば、泡の持続性を維持しつつ、泡質が硬くなりすぎるのを抑制できる。一方、（Ｄ）／（Ｅ）で表される質量比が２０以下であれば、泡の持続性を維持しつつ、優れた泡立ち性が得られると共に、泡質が水っぽく（柔らかく）なりすぎるのを抑制できる。
【００４８】
また、［（Ｄ）＋（Ｅ）］／［（Ａ）＋（Ｂ）＋（Ｃ）］で表される質量比が０．１５以上、０．４５未満であり、０．２０〜０．３５であることが好ましい。［（Ｄ）＋（Ｅ）］／［（Ａ）＋（Ｂ）＋（Ｃ）］）で表される質量比が上記範囲内であれば、泡立ち性および泡質を維持しつつ、泡の持続性を向上できる。［（Ｄ）＋（Ｅ）］／［（Ａ）＋（Ｂ）＋（Ｃ）］で表される質量比が０．１５未満であると、泡立ち性は良好となるものの、泡の持続性が低下する。一方、［（Ｄ）＋（Ｅ）］／［（Ａ）＋（Ｂ）＋（Ｃ）］で表される質量比が０．４５以上であると、泡の持続性は良好になるものの、泡立ち性が低下する。
【００４９】
［任意成分］
本発明の液体洗浄剤組成物には、前記（Ａ）〜（Ｅ）成分以外に必要に応じて、（Ａ）〜（Ｅ）成分以外のその他の界面活性剤や、その他の成分を適宜配合することができる。
その他の界面活性剤としては、陽イオン性界面活性剤、（Ａ）成分および（Ｃ）成分以外の陰イオン性界面活性剤、両性界面活性剤、（Ｄ）成分および（Ｅ）成分以外の非イオン性界面活性剤などが挙げられる。
【００５０】
陽イオン界面活性剤としては、アルキルトリメチルアンモニウム塩、ジアルキルジメチルアンモニウム塩、アルキルピリジニウム塩等が挙げられる。
（Ａ）成分および（Ｃ）成分以外の陰イオン性界面活性剤としては、例えばα−オレフィンスルホン酸塩、アルキルベンゼンスルホン酸塩、α−スルホ脂肪酸塩、脂肪酸石鹸、リン酸エステル塩系界面活性剤、アシルアラニネート、アシルタウレート等が挙げられる。
両性界面活性剤としては、例えばアルキル酢酸ベタイン、アルカノールアミドプロピル酢酸ベタイン、アルキルイミダゾリン、アルキルアラニン等が挙げられる。
（Ｄ）成分および（Ｅ）成分以外の非イオン性界面活性剤としては、例えば（Ｄ）成分以外の脂肪酸アルカノールアミド、脂肪酸アルカノールグルカミド、（Ｅ）成分以外のポリオキシアルキレンアルキルエーテル、脂肪酸ポリオキシアルキレンアルキルエーテル、アルキルグリセリルエーテル、アルキルポリグルコシド、ショ糖脂肪酸エステル等の非イオン性界面活性剤などが挙げられる。
【００５１】
その他の成分としては、例えばハイドロトロープとして芳香族スルホン酸塩、安息香酸塩等の芳香族カルボン酸；エタノール、種々の香料変性エタノール、イソプロパノール、ポリエチレングリコール、ブチルカルビトール等の水溶性溶剤；グリコール酸、乳酸、りんご酸、クエン酸、酒石酸、グルコン酸等のヒドロキシカルボン酸；シュウ酸、マロン酸、コハク酸、フマル酸等の多価カルボン酸；エチレンジアミン四酢酸、ニトリロ酢酸、ヒドロキシエチルエチレンジアミン三酢酸、ジエチレントリアミン五酢酸、トリエチレンテトラミン六酢酸等のアミノカルボン酸；ポリアクリル酸、ポリマレイン酸、ポリアクリル酸とポリマレイン酸との共重合体等の高分子型カルボン酸型キレート剤；硫酸ナトリウム、硫酸マグネシウム等の無機ビルダー；水酸化ナトリウム、水酸化カリウム、硫酸、短鎖アルキルベンゼンスルホン酸等のｐＨ調整剤；粘度調整剤、着色剤、酸化防止剤、防腐剤、殺菌剤、酸化亜鉛等の除菌剤、消炎剤、薬効成分、香料、天然抽出物等のような通常用いられる成分が挙げられる。
なお、前記短鎖アルキルベンゼンスルホン酸における「短鎖アルキル」は、炭素数１〜５のアルキル基を包含するものとする。
【００５２】
［液体洗浄剤組成物の物性：ｐＨ］
液体洗浄剤組成物は、２５℃でのｐＨが６〜８であることが好ましい。ｐＨが６未満の場合、（Ｂ）成分のカチオン性が強まりすぎ、低温安定性および泡立ち性が低下しやすくなる。ｐＨが８よりも高くなると、（Ｂ）成分のカチオン性が弱まりすぎ、洗浄力および泡の持続性が低下しやすくなる。
液体洗浄剤組成物のｐＨは、上述したｐＨ調整剤により調整できる。
なお、液体洗浄剤組成物（２５℃に調温）のｐＨは、ｐＨメーター等により測定される値を示す。
【００５３】
［液体洗浄剤組成物の製造］
液体洗浄剤組成物は、常法に準じて製造できる。例えば、上述した（Ａ）〜（Ｅ）成分と必要に応じて任意成分とを、各成分の純分換算量で所望の含有量になるように、水（例えば精製水、蒸留水、イオン交換水、純水、超純水など）に溶解して混合し、さらに必要に応じてｐＨ調整剤を用いて所定のｐＨになるように調整することで得られる。
【００５４】
以上説明した、本発明の液体洗浄剤組成物は、（Ａ）成分〜（Ｅ）成分を含有し、かつこれら各成分の含有量と質量比を規定することで、優れた泡立ち性と泡量の持続性を兼ね備える。従って、高い洗浄力を持続して実感できる。
【実施例】
【００５５】
以下、本発明を実施例により具体的に説明するが、本発明はこれらに限定されるものではない。
【００５６】
［使用原料］
（Ａ）成分として、以下に示す化合物を用いた。
・ＡＥＳ：ポリオキシエチレンアルキルエーテル硫酸エステルナトリウム、上記一般式（１）において、Ｒ１＝炭素数１２〜１６のアルキル基の混合物、Ｒ２＝エチレン基、ｍ＝２、Ｍ１＝ナトリウム。
【００５７】
なお、ＡＥＳは以下のようにして調製した。
原料アルコ−ルとして、アルコール（シェルケミカルズ社製の「ネオドール２３」と、Ｐ＆Ｇ社製の「ＣＯ１２７０Ａ」の１：１混合物）を用いた。
４Ｌのオートクレーブ中に、前記アルコ−ル４００ｇと、水酸化カリウム触媒０．８ｇとを仕込み、オートクレーブ内を窒素置換し、撹拌しながら昇温した。その後、温度１８０℃、圧力０．３ｍＰａに維持しながらエチレンオキシド１８４ｇを導入し、エチレンオキシドの平均付加モル数２の反応物（アルコールエトキシレート）を得た。
次に、このようにして得たアルコールエトキシレート２８０ｇを、撹拌装置付の５００ｍＬフラスコにとり、窒素置換した後、液体無水硫酸（サルファン）７８ｇを反応温度４０℃に保ちながらゆっくりと滴下した。滴下終了後、１時間撹拌を続け（硫酸化反応）、ポリオキシエチレンアルキルエーテル硫酸を得た。次いで、これを水酸化ナトリウム水溶液で中和することによりＡＥＳを得た。
【００５８】
（Ｂ）成分として、以下に示す化合物を用いた。
・ＡＸ：アルキルジメチルアミンオキシド（ライオン・アクゾ株式会社製の「アロモックスＤＭ１２Ｄ−Ｗ（Ｃ）」）、上記一般式（２）において、Ｒ３＝ヤシ油由来のアルキル基、Ｒ４＝メチル基、Ｒ５＝メチル基、ｎ＝０。
【００５９】
（Ｃ）成分として、以下に示す化合物を用いた。
・ＳＡＳ：第２級アルカンスルホン酸ナトリウム（クラリアントジャパン株式会社製の「ＨＯＳＴＡＰＵＲ  ＳＡＳ  ３０Ａ」）。
【００６０】
（Ｄ）成分として、以下に示す化合物を用いた。
・ＬＭＥ：ポリオキシエチレンラウリン酸モノエタノールアミド（川研ファインケミカル株式会社製の「アミゼット２Ｌ−Ｙ」）、上記一般式（４）において、Ｒ７＝炭素数１２のアルキル基、Ｒ８＝エチレン基、ｒ＝２。
【００６１】
（Ｅ）成分として、以下に示す化合物を用いた。
・ＡＥ：ポリオキシエチレンラウリルエーテル（ライオン株式会社製の「レオックスＬＣ−１５０」）、上記一般式（５）において、Ｒ９＝炭素数１２のアルキル基、ｓ＝１５。
【００６２】
任意成分として、以下に示す試薬を用いた。
・ＬＡＳ：直鎖アルキルベンゼンスルホン酸塩（ライオン株式会社製の「ライポンＬＨ−２００」）、炭素数１０〜１４、平均分子量３２２。
・ＬＤＥ：ラウリン酸ジエタノールアミド（川研ファインケミカル株式会社製の「アミゾールＬＤＥ」）。
・ｐ−トルエンスルホン酸：テイカ株式会社製の「テイカトックス３００」。
・エタノール：純正化学株式会社社製。
・ポリエチレングリコール：ライオン株式会社製の「ＰＥＧ＃１０００」、（平均分子量：１０００）。
・酸化亜鉛：三井金属株式会社製。
・香料：特開２００３−２６８３９８号公報の表７〜１４に記載の香料組成物Ａ。
【００６３】
［実施例１〜５、比較例１〜６］
＜液体洗浄剤組成物の調製＞
表１、２に示す配合組成に従って各成分を混合した後、２５℃でのｐＨが６．５となるようにｐＨ調整剤（水酸化ナトリウム）を適量添加して、各例の液体洗浄剤組成物をそれぞれ調製した。
なお、表１、２中の配合量の単位は質量％であり、いずれの成分も純分換算量を示す。各例の液体洗浄剤組成物は、表に記載の各成分の合計が１００質量％となるようにバランス量のイオン交換水で調整した。
また、ｐＨの測定は、液体洗浄剤組成物を２５℃に調整し、ガラス電極式ｐＨメーター（製品名：ホリバＦ−２２、（株）堀場製作所製）を用いて測定した。測定方法は、ＪＩＳ  Ｋ３３６２−１９９８に準拠して行った。
【００６４】
＜評価＞
（泡立ち性の評価）
縦１１．５ｃｍ×横７．５ｃｍ×高さ３ｃｍの食器洗い用スポンジに、水道水３８ｇと液体洗浄剤組成物２ｇをそれぞれとり、５回手で揉んだときの泡立ち性について、下記評価基準に基づいて評価した。結果を表１、２に示す。
◎：スポンジの表面全体を泡が覆い尽くす。
○：スポンジ表面を覆う泡の割合がスポンジの表面積の８０％以上、１００％未満である。
△：スポンジ表面を覆う泡の割合がスポンジの表面積の５０％以上、８０％未満である。
×：スポンジ表面を覆う泡の割合がスポンジの表面積の５０％未満である。
【００６５】
（泡の持続性の評価）
オリーブ油１ｇと水５ｇを乗せた皿（直径２１ｃｍ）を油汚垢皿とした。
縦１１．５ｃｍ×横７．５ｃｍ×高さ３ｃｍの食器洗い用スポンジに、水道水３８ｇと液体洗浄剤組成物２ｇをそれぞれとり、３回手で揉んだ後、油汚垢皿を２５℃の水道水を用いて、通常家庭で行われる方法と同様にして洗浄した。スポンジ上の泡が消失した時点までに洗浄できた皿の枚数を数え、泡の持続性を評価した。結果を表１、２に示す。
【００６６】
（洗浄力の評価）
牛脂（和光純薬工業株式会社製）１ｇを、縦１０ｃｍ×横１５ｃｍ×高さ５ｃｍのプラスチック製の容器の内側の全面に均一になるように塗布し、激しく汚れた疎水性表面汚垢とした。
次いで、縦１１．５ｃｍ×横７．５ｃｍ×高さ３ｃｍの食器洗い用スポンジに、水道水３８ｇと液体洗浄剤組成物２ｇをそれぞれとり、数回手で揉んだ後、牛脂が塗布された上記容器を、２５℃の水道水を用いて、通常家庭で行われる方法と同様にして洗浄した。洗浄した後、水道水でよくすすぎ、容器内側の牛脂が塗布されていた部位（汚染部）を手で触ったときの触感で、その洗浄力を下記評価基準に基づいて評価した。結果を表１、２に示す。
◎：容器のいずれの部位を触っても、キュッキュッと音がするような摩擦感があり、牛脂の残留によるぬるつきが全く感じられない。
○：容器の底面および側面を触ると摩擦感があり、牛脂の残留によるぬるつきは感じられないが、容器の角の部分には僅かにぬるつきが感じられる。
△：容器の底面を触ると摩擦感があり、牛脂の残留によるぬるつきは感じられないが、容器の側面および角にはぬるつきが感じられる。
×：容器全体にぬるつきが感じられ、明らかに牛脂が残留している。
【００６７】
（泡質の評価）
縦１１．５ｃｍ×横７．５ｃｍ×高さ３ｃｍの食器洗い用スポンジに、水道水３８ｇと液体洗浄剤組成物２ｇをそれぞれとり、１０回手で揉んだときの泡の感触について、下記評価基準に基づいて評価した。結果を表１、２に示す。
◎：泡のきめが非常に細かく、粘性のあるクリーミーな泡で、スポンジからたれ落ちにくい。
○：泡のきめが細かく、クリーミーな泡で、スポンジからたれ落ちにくい。
△：泡のきめは細かいが、クリーミー感に欠ける。
×：泡のきめが粗く、水っぽいまたは硬すぎる。
【００６８】
【表１】
2010248336.tif 000007
【００６９】
【表２】
2010248336.tif 000008
【００７０】
表１から明らかなように、各実施例で得られた液体洗浄剤組成物は、優れた泡立ち性と泡の持続性を兼ね備えた。また、高い洗浄力を有すると共に、泡質が良好であった。
一方、表２から明らかなように、（Ｃ）成分および（Ｅ）成分を欠く比較例１で得られた液体洗浄剤組成物は、洗浄力に劣っていた。また、良質な泡が得られにくかった。
（Ｄ）成分および（Ｅ）成分を欠く比較例２で得られた液体洗浄剤組成物は、任意成分としてＬＤＥを含有するので、希釈されたときの粘度が上昇しやすかった。そのため、各実施例と同程度の泡の持続性が得られた。しかし、粘度が過度に上昇したため、泡立ち性に劣っていた。また、良質な泡が得られにくかった。
（Ｂ）成分の含有量が１質量％と少なく、かつ（Ｅ）成分を欠く比較例３で得られた液体洗浄剤組成物は、（Ａ）成分と（Ｂ）成分により形成される錯体の量が不十分であったため、泡立ち性は実施例と同程度であるものの、泡の持続性に劣っていた。また、良質な泡が得られにくかった。
（Ｄ）成分を多く（１２質量％）含有した比較例４、５で得られた液体洗浄剤組成物は、泡の持続性は実施例と同程度であるものの、泡立ち性に劣っていた。また、良質な泡が得られにくかった。
（Ｄ）成分に対して（Ｅ）成分を多く（Ｄ／Ｅ＝２．５）含有した比較例６で得られた液体洗浄剤組成物は、泡の持続性が劣っていた。また、良質な泡が得られにくかった。
【手続補正書】
【提出日】平成21年5月7日(2009.5.7)
【手続補正１】
【補正対象書類名】明細書
【補正対象項目名】００３２
【補正方法】変更
【補正の内容】
【００３２】
【化４】
2010248336.tif 000009